【手続補正書】
【提出日】平成24年10月3日(2012.10.3)
【手続補正１】
【補正対象書類名】特許請求の範囲
【補正対象項目名】全文
【補正方法】変更
【補正の内容】
【特許請求の範囲】
【請求項１】
グランドプレーンおよび外力に対してマスをチューニングしてエネルギーを生成するシステムであって、
前記グランドプレーンに対して可動な第１のマスであって、前記外力が前記グランドプレーンに対する当該第１のマスの振動を誘発する、第１のマスと、
前記第１の可動マスによって保持され、かつ、前記第１の可動マスに対して可動な第２の可動マスであって、前記第１のマスに対する当該第２の可動マスの位置の変動の結果として運動エネルギーを生成する、第２の可動マスと、
前記第１のマスに対して移動する前記第２のマスの前記運動エネルギーを別の形態のエネルギーに変換するメカニズムと、
前記第１のマスに対して前記第２のマスをチューニングして生成されるエネルギーを増加させるメカニズムと、を備えるシステム。
【請求項２】
前記外力に対して前記第１のマスをチューニングして生成されるエネルギーを増加させるメカニズムをさらに備える請求項１に記載のシステム。
【請求項３】
前記外力は、水塊の波の水力である請求項１又は２に記載のシステム。
【請求項４】
前記第１のマスは、前記水塊上で浮遊する前端および後端を有する浮遊プラットフォームを含み、前記前端および後端上で、前記波の水が前記浮遊プラットフォームに水力を加える請求項３に記載のシステム。
【請求項５】
前記第１のマスは、前記波に対して可動であり、前記グランドプレーンに取付けられたベースに旋回可能に取付けられる請求項３又は４に記載のシステム。
【請求項６】
前記第１のマスに対して前記第２のマスをチューニングして生成されるエネルギーを増加させる前記メカニズムは、前記第２のマスが旋回点の周りで前記第１のマスに対して旋回すること、および、前記旋回点に対して前記第２のマスの位置を調整することを含む請求項２に記載のシステム。
【請求項７】
システムをチューニングし、生成される前記エネルギーを増加させる制動メカニズムであって、前記第１の可動マスに対して前記第２の可動マスの位置を調整する制動メカニズムをさらに備える請求項６に記載のシステム。
【請求項８】
前記制動メカニズムは、前記第２の可動マスと前記第１の可動マスとの間の相対移動から前記運動エネルギーの一部を変換する請求項７に記載のシステム。
【請求項９】
前記第１のマスに対して前記第２のマスをチューニングして生成されるエネルギーを増加させる前記メカニズムは、前記第１のマスが船体および釣り合いマスを含むこと、および、前記釣り合いマスが前記船体に対して所定位置に調整可能であることを含む請求項６に記載のシステム。
【請求項１０】
水塊内の波の水力を使用してグランドプレーンに対してマスをチューニングすることからエネルギーを生成するシステムであって、
前記水塊に対して可動な第１のマスであって、前記波の水力が前記グランドプレーンに対して当該第１のマスの振動を誘発する、第１のマスと、
前記第１の可動マスによって保持され、かつ、前記第１の可動マスに対して可動な第２の可動マスであって、前記第１のマスに対する当該第２の可動マスの位置の変動の結果として運動エネルギーを生成する、第２の可動マスと、
前記第１のマスに対して移動する前記第２のマスの前記運動エネルギーを別の形態のエネルギーに変換するメカニズムと、
前記水力に対して前記第１のマスをチューニングして生成されるエネルギーを増加させるメカニズムと、
システムをチューニングして生成される前記エネルギーを増加させる制動メカニズムであって、前記第１の可動マスに対して前記第２の可動マスの位置を調整する制動メカニズムを含み、前記第１のマスに対して前記第２のマスをチューニングして生成される前記エネルギーを増加させるメカニズムと、を備えるシステム。
【請求項１１】
前記第１のマスは、前記水塊上で浮遊する前端および後端を有する浮遊プラットフォームを含み、前記前端および後端上で、前記波の水が前記浮遊プラットフォームに水力を加える請求項１０に記載のシステム。
【請求項１２】
前記第１のマスに対して前記第２のマスをチューニングする前記メカニズムは、前記第１のマスが船体および釣り合いマスを含むこと、および、前記釣り合いマスが前記船体に対して所定位置に調整可能であることを含む請求項１０又は１１に記載のシステム。
【請求項１３】
前記第１のマスに対して前記第２のマスをチューニングする前記メカニズムは、前記第１の可動マスに対して前記第２の可動マスの経路を調整することを含む請求項１０〜１２の何れか１項に記載のシステム。
【請求項１４】
前記第１の可動マスに対して前記第２の可動マスの経路を調整することは、前記第２の可動マスが前記第１の可動マスに対してその上を移動するトラックを調整することを含む請求項１３に記載のシステム。
【請求項１５】
前記第１の可動マスに対して前記第２の可動マスの前記経路を調整することは、前記第２のマスが旋回点の周りに前記第１のマスに対して旋回すること、および、前記旋回点に対して前記第２のマスの位置を調整することを含む請求項１３に記載のシステム。
【請求項１６】
前記第１のマスは、前記波に対して可動であり、前記グランドプレーンに取付けられたベースに旋回可能に取付けられる請求項１０〜１５の何れか１項に記載のシステム。
【請求項１７】
前記第１のマスは、前記水塊上で浮遊する前端および後端を有する船体を有する浮遊プラットフォームを含み、前記前端および後端上で、前記波の水が前記浮遊プラットフォームに水力を加え、チューニングすることは、前記船体上の係留綱の場所を移動させることを含む請求項１０〜１６の何れか１項に記載のシステム。
【請求項１８】
前記第２のマスの運動エネルギーを変換する前記メカニズムは、フライホイールである請求項１０〜１７の何れか１項に記載のシステム。
【請求項１９】
水塊内の波の水力を使用してグランドプレーンに対してマスをチューニングしてエネルギーを生成するシステムであって、
前記水塊に対して可動な前端および後端を有する船体を備えた浮遊プラットフォームを含む第１のマスであって、前記波の水力は、前記グランドプレーンに対して当該第１のマスの振動を誘発する、第１のマスと、
前記第１の可動マスによって保持され、かつ、前記第１の可動マスに対して可動な第２の可動マスであって、前記第１のマスに対する当該第２の可動マスの位置の変動の結果として運動エネルギーを生成する、第２の可動マスと、
前記第１のマスに対して移動する前記第２のマスの前記運動エネルギーを別の形態のエネルギーに変換するメカニズムと、
前記水力に対して前記第１のマスをチューニングして生成されるエネルギーを増加させるメカニズムと、
前記第１のマスに対して前記第２のマスをチューニングして生成される前記エネルギーを増加させるメカニズムと、を備えるシステム。
【請求項２０】
前記第１のマスに対して前記第２のマスを調整する前記メカニズムは、前記第２のマスが旋回点の周りに前記第１のマスに対して旋回すること、および、前記旋回点に対して前記第２のマスの位置を調整することを含む請求項１９に記載のシステム。
【請求項２１】
前記第１のマスに対して前記第２のマスをチューニングする前記メカニズムは、前記第１のマスが船体および釣り合いマスを含むこと、および、前記釣り合いマスが前記船体に対して所定位置に調整可能であることを含む請求項２０に記載のシステム。
【請求項２２】
前記第２のマスの運動エネルギーを変換する前記メカニズムは、フライホイールである請求項１９〜２１の何れか１項に記載のシステム。
【請求項２３】
水塊内の波の水力を使用してグランドプレーンに対してマスをチューニングしてエネルギーを生成するシステムであって、
前記水塊上で浮遊する前端および後端を有する浮遊プラットフォームを含む第１のマスであって、前記前端および後端上で、前記波の水が前記浮遊プラットフォームに水力を加え、当該第１のマスは前記グランドプレーンに対して可動であり、前記波の水力が前記グランドプレーンに対して当該第１のマスの振動を誘発する、第１のマスと、
前記第１の可動マスによって保持され、かつ、前記第１の可動マスに対して可動な第２の可動マスであって、前記第１のマスに対する当該第２の可動マスの位置の変動の結果として運動エネルギーを生成し、第２の可動マスおよび前記第１の可動マスは、ある重量を有し、当該第２の可動マスの変位の増加によって電力密度およびエネルギーを増加させる、第２の可動マスと、
前記第１のマスに対して移動する前記第２のマスの前記運動エネルギーを別の形態のエネルギーに変換するメカニズムと、
前記水力に対して前記第１のマスをチューニングして生成されるエネルギーを増加させるメカニズムと、
前記第１のマスに対して前記第２のマスをチューニングして生成される前記エネルギーを増加させるメカニズムと、を備えるシステム。
【手続補正２】
【補正対象書類名】明細書
【補正対象項目名】００６８
【補正方法】変更
【補正の内容】
【００６８】
述べた動作において、種々のパラメータがチューニングされたが、表に挙げられた他のアイテムがチューニングされ得ることが認識される。さらに、可調整マス１３４、船体２８、およびマス２６のマスまたは重量は変動し得る。それぞれの変動は、コンポーネントを切換え除去することによって、あるいは、バラストを付加するか除去することによって変動し得る。船体２８の幾何形状もまた変動し得る。船体の長さは、慣性モーメントに影響を及ぼす。以下でさらに示すように、係留配置構成がチューニングされ得る。マス２６の直径および長さもまた、システム２０をチューニングするために変動し得る。
【手続補正３】
【補正対象書類名】明細書
【補正対象項目名】００７５
【補正方法】変更
【補正の内容】
【００７５】
やはり図１６を参照して、釣り合いマス１７０は、同様に、調整メカニズム１７８によって釣り合い重りロッド１７２上で上下に調整され得る。示される実施形態では、調整メカニズム１７８は、図１８Ａで最もよく見える釣り合いマス１７０に接続されたケーブル１８２を駆動する電動機１８０である。第１の可動マス１６４の一部としての釣り合いマス１７０の調整および揺動または第２の可動マス１５２の調整は、第１の可動マス１６４に対して第２の可動マス１５２の移動を最大に生成するようにシステム１５０がチューニングされることを可能にする。
【手続補正４】
【補正対象書類名】明細書
【補正対象項目名】００８１
【補正方法】変更
【補正の内容】
【００８１】
図１８Ａおよび１８Ｂは共に、調整メカニズム１７８による釣り合いマス１７０の移動を示す矢印１９４を示す。システム１５０の正面図である図１８Ｂをやはり参照して、矢印１９４に加えて、第２の可動マス１５２の移動を示す矢印１９６が示される。さらに、システム１５０は、第１の可動マス１６４に対する第２の可動マス（揺動マス）１５２の移動から回転エネルギーを取り出す一連のフライホイール１９８を有する。